(57)【要約】【課題】  端末装置の種類に応じた画面情報を表示装置に表示させることができる端末装置、制御方法及びプログラムを提供する。【解決手段】  タブレット系の端末装置に所定の操作が行われた場合、所定のメニューと、前記所定のメニューに対応し印刷装置に関する特定情報とを含み、前記所定のメニューと前記特定情報とを並列して表示する第１画面を、前記タブレット系の端末装置の表示部に表示させ、スマートフォン系の端末装置に前記所定の操作が行われた場合、前記特定情報を含まず、前記所定のメニューを含む第２画面を、前記スマートフォン系の端末装置の表示部に表示させることを特徴とする。【選択図】  図１
2018092634.tif 000002
【特許請求の範囲】
【請求項１】
タブレット系の端末装置に所定の操作が行われた場合、所定のメニューと、前記所定のメニューに対応し印刷装置に関する特定情報とを並列して表示する第１画面を、前記タブレット系の端末装置の表示部に表示させる第１表示ステップと、
スマートフォン系の端末装置に前記所定の操作が行われた場合、前記第１画面が表示する前記特定情報を表示せず、前記第１画面が表示する前記所定のメニューを表示する第２画面を、前記スマートフォン系の端末装置の表示部に表示させる第２表示ステップと、
前記第２画面が表示する前記所定のメニューが選択された場合、前記スマートフォン系の端末装置の表示部に表示されている画面を、前記第２画面から、印刷の実行を指示するための指示領域を表示せず、前記第１画面が表示する前記特定情報を表示する第３画面に切り替える第１切り替えステップと、
前記第２画面が表示する特定のメニューが選択された場合、前記スマートフォン系の端末装置の表示部に表示されている画面を、前記第２画面から、前記指示領域を表示する第４画面に切り替える第２切り替えステップと、を有することを特徴とする制御方法。
【請求項２】
第１の大きさの表示部を有する端末装置に所定の操作が行われた場合、所定のメニューと、前記所定のメニューに対応し印刷装置に関する特定情報とを並列して表示する第１画面を、前記第１の大きさの表示部に表示させる第１表示ステップと、
前記第１の大きさより小さい第２の大きさの表示部を有する端末装置に前記所定の操作が行われた場合、前記第１画面が表示する前記特定情報を表示せず、前記第１画面が表示する前記所定のメニューを表示する第２画面を、前記第２の大きさの表示部に表示させる第２表示ステップと、
前記第２画面が表示する前記所定のメニューが選択された場合、前記第２の大きさの表示部を有する端末装置の表示部に表示されている画面を、前記第２画面から、印刷の実行を指示するための指示領域を表示せず、前記第１画面が表示する前記特定情報を表示する第３画面に切り替える第１切り替えステップと、
前記第２画面が表示する特定のメニューが選択された場合、前記第２の大きさの表示部を有する端末装置の表示部に表示されている画面を、前記第２画面から、前記指示領域を表示する第４画面に切り替える第２切り替えステップと、を有することを特徴とする制御方法。
【請求項３】
タブレット系の端末装置に所定の操作が行われた場合、所定のメニューと、前記所定のメニューに対応し印刷装置に関する特定情報とを並列して表示する第１画面を、前記タブレット系の端末装置の表示部に表示させる第１表示ステップを前記タブレット系の端末装置のコンピュータに実行させ、
スマートフォン系の端末装置に前記所定の操作が行われた場合、前記第１画面が表示する前記特定情報を表示せず、前記第１画面が表示する前記所定のメニューを表示する第２画面を、前記スマートフォン系の端末装置の表示部に表示させる第２表示ステップと、
前記第２画面が表示する前記所定のメニューが選択された場合、前記スマートフォン系の端末装置の表示部に表示されている画面を、前記第２画面から、印刷の実行を指示するための指示領域を表示せず、前記第１画面が表示する前記特定情報を表示する第３画面に切り替える第１切り替えステップと、
前記第２画面が表示する特定のメニューが選択された場合、前記スマートフォン系の端末装置の表示部に表示されている画面を、前記第２画面から、前記指示領域を表示する第４画面に切り替える第２切り替えステップと、を前記スマートフォン系の端末装置のコンピュータに実行させることを特徴とするプログラム。
【請求項４】
前記第３画面には、前記第１画面に表示される前記所定のメニューが表示されないことを特徴とする請求項３に記載のプログラム。
【請求項５】
前記特定情報は、前記印刷装置の名前に関する情報を含むことを特徴とする請求項３又は４に記載のプログラム。
【請求項６】
前記特定情報は、前記印刷装置のロケーションに関する情報を含むことを特徴とする請求項３乃至５のいずれか１項に記載のプログラム。
【請求項７】
タブレット系の装置であるかスマートフォン系の装置であるかを判定するための判定処理の判定結果により、前記タブレット系の装置であると判定された端末装置の表示部に、前記第１画面が表示され、
前記判定処理の判定結果により、前記端末装置が前記スマートフォン系の装置であることが示される場合、前記前記スマートフォン系の装置であると判定された端末装置の表示部に、前記第２画面が表示されることを特徴とする請求項３乃至６のいずれか１項に記載のプログラム。
【請求項８】
前記第１画面及び前記第２画面は、ユーティリティに関するメニューをさらに表示することを特徴とする請求項３乃至請求項７のいずれか１項に記載のプログラム。
【請求項９】
前記第１画面は、データを再ロードするためのリロード操作を受け付け可能な画面であることを特徴とする請求項３乃至請求項８のいずれか１項に記載のプログラム。
【請求項１０】
前記所定のメニューと、前記所定のメニューと異なる他のメニューと、前記他のメニューに対応する情報と、を並列して表示する表示画面を、前記タブレット系の端末装置の表示部に表示させる第３表示ステップと、
前記表示画面が表示する前記所定のメニューが選択された場合、前記タブレット系の端末装置の表示部に表示されている画面を、前記表示画面から、前記第１画面に切り替える画面切り替えステップと、を前記タブレット系の端末装置のコンピュータにさらに実行させることを特徴とする請求項３乃至請求項９のいずれか１項に記載のプログラム。
【請求項１１】
第１の大きさの表示部を有する端末装置に所定の操作が行われた場合、所定のメニューと、前記所定のメニューに対応し印刷装置に関する特定情報とを並列して表示する第１画面を、前記第１の大きさの表示部に表示させる第１表示ステップを前記第１の大きさの表示部を有する端末装置のコンピュータに実行させ、
前記第１の大きさより小さい第２の大きさの表示部を有する端末装置に前記所定の操作が行われた場合、前記第１画面が表示する前記特定情報を表示せず、前記第１画面が表示する前記所定のメニューを表示する第２画面を、前記第２の大きさの表示部に表示させる第２表示ステップと、
前記第２画面が表示する前記所定のメニューが選択された場合、前記第２の大きさの表示部に表示されている画面を、前記第２画面から、印刷の実行を指示するための指示領域を表示せず、前記第１画面が表示する前記特定情報を表示する第３画面に切り替える第１切り替えステップと、
前記第２画面が表示する特定のメニューが選択された場合、前記第２の大きさの表示部に表示されている画面を、前記第２画面から、前記指示領域を表示する第４画面に切り替える第２切り替えステップと、を前記第２の大きさの表示部を有する端末装置のコンピュータに実行させることを特徴とするプログラム。
【請求項１２】
前記第３画面には、前記所定のメニューが表示されないことを特徴とする請求項１１に記載のプログラム。
【請求項１３】
前記特定情報は、前記印刷装置の名前に関する情報を含むことを特徴とする請求項１１又は１２に記載のプログラム。
【請求項１４】
前記特定情報は、前記印刷装置のロケーションに関する情報を含むことを特徴とする請求項１１乃至１３のいずれか１項に記載のプログラム。
【請求項１５】
タブレット系の装置であるかスマートフォン系の装置であるかを判定するための判定処理の判定結果により、前記タブレット系の装置であると判定された端末装置の表示部に、前記第１画面が表示され、
前記判定処理の判定結果により、前記端末装置が前記スマートフォン系の装置であることが示される場合、前記スマートフォン系の装置であると判定された端末装置の表示部に、前記第２画面が表示されることを特徴とする請求項１１乃至１４のいずれか１項に記載のプログラム。
【請求項１６】
前記第１画面及び前記第２画面は、ユーティリティに関するメニューをさらに表示することを特徴とする請求項１１乃至請求項１５のいずれか１項に記載のプログラム。
【請求項１７】
前記第１画面は、データを再ロードするためのリロード操作を受け付け可能な画面であることを特徴とする請求項１１乃至請求項１６のいずれか１項に記載のプログラム。
【請求項１８】
前記所定のメニューと、前記所定のメニューと異なる他のメニューと、前記他のメニューに対応する情報と、を並列して表示する表示画面を、前記第１の大きさの表示部を有する端末装置の表示部に表示させる第３表示ステップと、
前記表示画面が表示する前記所定のメニューが選択された場合、前記第１の大きさの表示部に表示されている画面を、前記表示画面から、前記第１画面に切り替える画面切り替えステップと、を前記第１の大きさの表示部を有する端末装置のコンピュータにさらに実行させることを特徴とする請求項１１乃至請求項１７のいずれか１項に記載のプログラム。
【請求項１９】
前記第１の大きさの表示部を有する端末装置は、タブレット系の端末装置であることを特徴とする請求項１１乃至請求項１８のいずれか１項に記載のプログラム。
【請求項２０】
前記第２の大きさの表示部を有する端末装置は、スマートフォン系の端末装置であることを特徴とする請求項１１乃至請求項１９のいずれか１項に記載のプログラム。
【請求項２１】
タブレット系の端末装置に所定の操作が行われた場合、所定のメニューと、印刷装置に関する所定の設定値とを並列して表示し、前記所定の設定値の入力を受け付ける第１画面を、前記タブレット系の端末装置の表示部に表示させる第１表示ステップと、
スマートフォン系の端末装置に前記所定の操作が行われた場合、前記第１画面が表示する前記所定の設定値を表示せず、前記第１画面が表示する前記所定のメニューを表示する第２画面を、前記スマートフォン系の端末装置の表示部に表示させる第２表示ステップと、
前記第２画面が表示する前記所定のメニューが選択された場合、前記スマートフォン系の端末装置の表示部に表示されている画面を、前記第２画面から、印刷の実行を指示するための指示領域を表示せず、前記第１画面が表示する前記所定の設定値を表示する第３画面に切り替える第１切り替えステップと、
前記第２画面が表示する特定のメニューが選択された場合、前記スマートフォン系の端末装置の表示部に表示されている画面を、前記第２画面から、前記指示領域を表示する画面に切り替える第２切り替えステップと、を有することを特徴とする制御方法。
【請求項２２】
第１の大きさの表示部を有する端末装置に所定の操作が行われた場合、所定のメニューと、印刷装置に関する所定の設定値とを並列して表示し、前記所定の設定値の入力を受け付ける第１画面を、前記第１の大きさの表示部に表示させる第１表示ステップと、
前記第１の大きさより小さい第２の大きさの表示部を有する端末装置に前記所定の操作が行われた場合、前記第１画面が表示する前記所定の設定値を表示せず、前記第１画面が表示する前記所定のメニューを表示する第２画面を、前記第２の大きさの表示部に表示させる第２表示ステップと、
前記第２画面が表示する前記所定のメニューが選択された場合、前記第２の大きさの表示部に表示されている画面を、前記第２画面から、印刷の実行を指示するための指示領域を表示せず、前記第１画面が表示する前記所定の設定値を表示する第３画面に切り替える第１切り替えステップと、
前記第２画面が表示する特定のメニューが選択された場合、前記第２の大きさの表示部に表示されている画面を、前記第２画面から、前記指示領域を表示する画面に切り替える第２切り替えステップと、を有することを特徴とする制御方法。
【請求項２３】
第１の大きさの表示部を有する端末装置に所定の操作が行われた場合、所定のメニューと、印刷装置に関する所定の設定値とを並列して表示し、前記所定の設定値の入力を受け付ける第１画面を、前記第１の大きさの表示部に表示させる第１表示ステップを、前記第１の大きさの表示部を有する端末装置のコンピュータに実行させ、
前記第１の大きさより小さい第２の大きさの表示部を有する端末装置に前記所定の操作が行われた場合、前記第１画面が表示する前記所定の設定値を表示せず、前記第１画面が表示する前記所定のメニューを表示する第２画面を、前記第２の大きさの表示部に表示させる第２表示ステップと、
前記第２画面が表示する前記所定のメニューが選択された場合、前記第２の大きさの表示部に表示されている画面を、前記第２画面から、印刷の実行を指示するための指示領域を表示せず、前記第１画面が表示する前記所定の設定値を表示する第３画面に切り替える第１切り替えステップと、
前記第２画面が表示する特定のメニューが選択された場合、前記第２の大きさの表示部に表示されている画面を、前記第２画面から、前記指示領域を表示する画面に切り替える第２切り替えステップと、を前記第２の大きさの表示部を有する端末装置のコンピュータに実行させることを特徴とするプログラム。
【請求項２４】
前記第３画面には、前記所定のメニューが表示されないことを特徴とする請求項２３に記載のプログラム。
【請求項２５】
前記所定の設定値は、前記印刷装置の名前に関する情報又は前記印刷装置のロケーションに関する情報であることを特徴とする請求項２３又は２４に記載のプログラム。
【請求項２６】
タブレット系の装置であるかスマートフォン系の装置であるかを判定するための判定処理の判定結果により、前記タブレット系の装置であると判定された端末装置の表示部に、前記第１画面が表示され、
前記判定処理の判定結果により、前記端末装置が前記スマートフォン系の装置であることが示される場合、前記前記スマートフォン系の装置であると判定された端末装置の表示部に、前記第２画面が表示されることを特徴とする請求項２３乃至請求項２５のいずれか１項に記載のプログラム。
【請求項２７】
前記第１画面及び前記第２画面は、ユーティリティに関するメニューをさらに表示することを特徴とする請求項２３乃至請求項２６のいずれか１項に記載のプログラム。
【請求項２８】
前記第１の大きさの表示部を有する端末装置は、タブレット系の端末装置であることを特徴とする請求項２３乃至請求項２７のいずれか１項に記載のプログラム。
【請求項２９】
前記第２の大きさの表示部を有する端末装置は、スマートフォン系の端末装置であることを特徴とする請求項２３乃至請求項２８のいずれか１項に記載のプログラム。
【請求項３０】
タブレット系の端末装置に所定の操作が行われた場合、所定のメニューと、印刷装置に関する所定の設定値とを並列して表示し、前記所定の設定値の入力を受け付ける第１画面を、前記タブレット系の端末装置の表示部に表示させる第１表示ステップを、前記タブレット系の端末装置のコンピュータに実行させ、
スマートフォン系の端末装置に前記所定の操作が行われた場合、前記第１画面が表示する前記所定の設定値を表示せず、前記第１画面が表示する前記所定のメニューを表示する第２画面を、前記スマートフォン系の端末装置の表示部に表示させる第２表示ステップと、
前記第２画面が表示する前記所定のメニューが選択された場合、前記スマートフォン系の端末装置の表示部に表示されている画面を、前記第２画面から、印刷の実行を指示するための指示領域を表示せず、前記第１画面が表示する前記所定の設定値を表示する第３画面に切り替える第１切り替えステップと、
前記第２画面が表示する特定のメニューが選択された場合、前記スマートフォン系の端末装置の表示部に表示されている画面を、前記第２画面から、前記指示領域を表示する画面に切り替える第２切り替えステップと、を前記スマートフォン系の端末装置のコンピュータに実行させることを特徴とするプログラム。
【発明の詳細な説明】
【技術分野】
【０００１】
本発明は、端末装置、制御方法及びプログラムに関する。
【背景技術】
【０００２】
近年、プリンターなどの画像形成装置を他のコンピュータ端末やスマートフォンやタブレット等のモバイル端末（以下、「端末装置」とする）から制御するリモート制御技術が知られている。画像形成装置を端末装置からリモート制御する際には、画像形成装置の操作を行うユーザーインターフェース画面を端末装置に表示する。端末装置からリモート制御を行う場合には、画像形成装置の操作を行うユーザーインターフェース画面を端末装置に対して送信する。そして、そのユーザーインターフェース画面を端末装置側のブラウザ等のアプリケーションで表示させる（特許文献１参照）。特許文献１では、デバイスを操作するリモート操作端末装置において、デバイスからデバイス情報を取得する。そしてデバイスに対応したデバイステンプレートと取得したデバイス情報から、デバイスを操作するためのユーザーインターフェースを構築する。
【先行技術文献】
【特許文献】
【０００３】
【特許文献１】特開２００７−１１４８８８号公報
【発明の概要】
【発明が解決しようとする課題】
【０００４】
しかしながら、特許文献１では、端末装置の画面サイズ（表示領域のサイズ）などを考慮したものではなかった。したがって、端末装置によっては扱いにくい場合があった。
【０００５】
本発明は、上述の問題点に鑑みなされたもので、端末装置の種類に応じた画面情報を端末装置の表示部に表示させることができる端末装置、制御方法及びプログラムを提供するものである。
【課題を解決するための手段】
【０００６】
上記課題を解決する本発明のプログラムは、タブレット系の端末装置に所定の操作が行われた場合、所定のメニューと、前記所定のメニューに対応し印刷装置に関する特定情報とを並列して表示する第１画面を、前記タブレット系の端末装置の表示部に表示させる第１表示ステップを前記タブレット系の端末装置のコンピュータに実行させ、
スマートフォン系の端末装置に前記所定の操作が行われた場合、前記第１画面が表示する前記特定情報を表示せず、前記第１画面が表示する前記所定のメニューを表示する第２画面を、前記スマートフォン系の端末装置の表示部に表示させる第２表示ステップと、
前記第２画面が表示する前記所定のメニューが選択された場合、前記スマートフォン系の端末装置の表示部に表示されている画面を、前記第２画面から、印刷の実行を指示するための指示領域を表示せず、前記第１画面が表示する前記特定情報を表示する第３画面に切り替える第１切り替えステップと、
前記第２画面が表示する特定のメニューが選択された場合、前記スマートフォン系の端末装置の表示部に表示されている画面を、前記第２画面から、前記指示領域を表示する第４画面に切り替える第２切り替えステップと、を前記スマートフォン系の端末装置のコンピュータに実行させることを特徴とする。
【０００７】
また、本発明のプログラムは、第１の大きさの表示部を有する端末装置に所定の操作が行われた場合、所定のメニューと、前記所定のメニューに対応し印刷装置に関する特定情報とを並列して表示する第１画面を、前記第１の大きさの表示部に表示させる第１表示ステップを前記第１の大きさの表示部を有する端末装置のコンピュータに実行させ、
前記第１の大きさより小さい第２の大きさの表示部を有する端末装置に前記所定の操作が行われた場合、前記第１画面が表示する前記特定情報を表示せず、前記第１画面が表示する前記所定のメニューを表示する第２画面を、前記第２の大きさの表示部に表示させる第２表示ステップと、
前記第２画面が表示する前記所定のメニューが選択された場合、前記第２の大きさの表示部に表示されている画面を、前記第２画面から、印刷の実行を指示するための指示領域を表示せず、前記第１画面が表示する前記特定情報を表示する第３画面に切り替える第１切り替えステップと、
前記第２画面が表示する特定のメニューが選択された場合、前記第２の大きさの表示部に表示されている画面を、前記第２画面から、前記指示領域を表示する第４画面に切り替える第２切り替えステップと、を前記第２の大きさの表示部を有する端末装置のコンピュータに実行させることを特徴とする。
【０００８】
また、本発明のプログラムは、第１の大きさの表示部を有する端末装置に所定の操作が行われた場合、所定のメニューと、印刷装置に関する所定の設定値とを並列して表示し、前記所定の設定値の入力を受け付ける第１画面を、前記第１の大きさの表示部に表示させる第１表示ステップを、前記第１の大きさの表示部を有する端末装置のコンピュータに実行させ、
前記第１の大きさより小さい第２の大きさの表示部を有する端末装置に前記所定の操作が行われた場合、前記第１画面が表示する前記所定の設定値を表示せず、前記第１画面が表示する前記所定のメニューを表示する第２画面を、前記第２の大きさの表示部に表示させる第２表示ステップと、
前記第２画面が表示する前記所定のメニューが選択された場合、前記第２の大きさの表示部に表示されている画面を、前記第２画面から、印刷の実行を指示するための指示領域を表示せず、前記第１画面が表示する前記所定の設定値を表示する第３画面に切り替える第１切り替えステップと、
前記第２画面が表示する特定のメニューが選択された場合、前記第２の大きさの表示部に表示されている画面を、前記第２画面から、前記指示領域を表示する画面に切り替える第２切り替えステップと、を前記第２の大きさの表示部を有する端末装置のコンピュータに実行させることを特徴とする。
【０００９】
また、本発明のプログラムは、タブレット系の端末装置に所定の操作が行われた場合、所定のメニューと、印刷装置に関する所定の設定値とを並列して表示し、前記所定の設定値の入力を受け付ける第１画面を、前記タブレット系の端末装置の表示部に表示させる第１表示ステップを、前記タブレット系の端末装置のコンピュータに実行させ、
スマートフォン系の端末装置に前記所定の操作が行われた場合、前記第１画面が表示する前記所定の設定値を表示せず、前記第１画面が表示する前記所定のメニューを表示する第２画面を、前記スマートフォン系の端末装置の表示部に表示させる第２表示ステップと、
前記第２画面が表示する前記所定のメニューが選択された場合、前記スマートフォン系の端末装置の表示部に表示されている画面を、前記第２画面から、印刷の実行を指示するための指示領域を表示せず、前記第１画面が表示する前記所定の設定値を表示する第３画面に切り替える第１切り替えステップと、
前記第２画面が表示する特定のメニューが選択された場合、前記スマートフォン系の端末装置の表示部に表示されている画面を、前記第２画面から、前記指示領域を表示する画面に切り替える第２切り替えステップと、を前記スマートフォン系の端末装置のコンピュータに実行させることを特徴とする。
【発明の効果】
【００１０】
本発明によれば、端末装置の種類に応じた画面情報を表示装置に表示させることができる。
【図面の簡単な説明】
【００１１】
【図１】実施形態１に係る情報処理システムのシステム構成の概念図である。
【図２】実施形態１に係るスマートフォン系端末用のユーザーインターフェースを示す図である。
【図３】実施形態１に係るタブレット系端末用のユーザーインターフェースを示す図である。
【図４】実施形態１に係る端末装置の表示制御処理のフローチャートである。
【図５】実施形態２に係るスマートフォン系端末用のユーザーインターフェースを示す図である。
【図６】実施形態２に係る端末装置の表示制御処理のフローチャートである。
【発明を実施するための形態】
【００１２】
以下、添付図面を参照して、本発明の実施形態について詳細に説明する。なお、以下の実施形態は、特許請求の範囲に係る本発明を限定するものでなく、また、説明されている特徴の組み合わせの全てが解決手段に必須のものとは限らない。
【００１３】
（実施形態１）
図１は、実施形態１に係る情報処理システム１の構成を示すブロック図である。情報処理システム１は、情報処理装置１０と、外部から情報処理装置１０のリモート制御を行うための端末装置３０を含むものであり、情報処理装置１０と端末装置３０は、有線又は無線のネットワーク２を介して接続されている。
【００１４】
情報処理装置１０としては、例えば、ネットワークに接続可能な複写機、プリンタ、ファックスや、スキャナ機能、プリンタ機能、ファクシミリ機能等の複数の機能を備えた複合機（ＭＦＰ：Ｍｕｌｔｉ  Ｆｕｎｃｔｉｏｎ  Ｐｅｒｉｐｈｅｒａｌ装置）が挙げられる。本実施形態では、情報処理装置１０として、複合機を例に挙げて説明する。
【００１５】
情報処理装置１０は、装置全体を制御するＣＰＵ１１、プログラム及びデータを記憶するＲＯＭ１２、画像メモリなどの一時記憶領域などからなるＲＡＭ１３を備えている。また、情報処理装置１０は、ウェブサーバ１４と、通信インタフェース部１５と、操作パネル１６と、画面情報送信部１７を備えている。さらに、印刷処理部１８、読取処理部１９、ファックス処理部２０を備えている。これらは、図示しないシステムバスにより接続されている。
【００１６】
ＣＰＵ１１は、ＲＯＭ１２及びＲＡＭ１３に記憶された情報に従って動作することにより、情報処理装置１０の全体を制御する。
【００１７】
ＲＯＭ１２は、ＣＰＵ１１の制御手順、処理手順等を示すプログラムを保持しており、ＲＡＭ１３は、情報処理装置１０の制御処理に必要な情報、作業領域等を保持している。
【００１８】
ウェブサーバ１４は、ウェブブラウザ２４からの要求に応じて、ネットワーク２を介してウェブページを送信する。また、ウェブサーバ１４は、端末装置３０のウェブブラウザ２４から、情報処理装置１０に対する処理の実行の指示要求を受信する。
【００１９】
操作パネル１６は、ユーザが所定の指示の入力操作を行うことができ、また、各種情報を表示することができる。ユーザは、操作パネル１６を介して情報処理装置１０に対する指示・設定を行う。
【００２０】
また、通信インタフェース部１５は、情報処理装置１１０が有線又は無線のネットワーク２を介して端末装置３０と通信を行うことができるように構成されている。本実施形態では、通信インタフェース部１５は、情報処理装置１０のウェブサーバ１４と端末装置３０のウェブブラウザ２４が通信を行えるように構成されている。
【００２１】
画面情報送信部１７は、情報処理装置１０を操作する操作画面データ等の画面情報（例えば、ウェブページ）を、ウェブブラウザ２４からの操作画面データの要求に応じて送信する。
【００２２】
ここで、情報処理装置１０は、図示しないハードディスク等の記憶装置に、端末装置の種類に応じた複数の画面情報を備えている。各画面情報は、ＨＴＭＬ、ＣＳＳ、ＪａｖａＳｃｒｉｐｔ（登録商標）等の情報処理装置１０側の設定値を備えており、いずれの画面情報においても共通する共通部分と、画面情報毎に異なる部分とを備えている。本実施形態では、ＣＳＳには、表示画面に表示する部品、例えば、戻るボタンやリロードボタンを表示するか否かの情報が記述されている。なお、戻るボタンやリロードボタンを表示するか否かの有無は、画像情報において画面情報毎に異なる部分に該当する。本実施形態では、画像情報として、スマートフォン端末用の画面情報と、タブレット端末用の画面情報とを備えており、それぞれ操作パネル１６と同様の指示が可能な表示内容を表示するものである。タブレット端末用の画面情報は、標準画面用の画面情報であり、詳細は後述するが、設定画面において「戻る」ボタンを表示せずに「リロード」ボタンを表示する。一方、スマートフォン端末用の画面情報は、小画面用の画面情報であり、設定画面において「戻る」ボタンを表示する。
【００２３】
印刷処理部１８は、画像の記録（印刷）を行い、読取処理部１９は、画像の読み取りを行い、ファックス処理部は、ファックス処理を行う。本実施形態の情報処理装置１０は、読取処理部１９及び印刷処理部１８を備えることにより、画像のコピー、画像のスキャン、画像のマルチクロップコピーの３つの機能を搭載している。
【００２４】
端末装置３０は、ウェブブラウザ２４を備え、情報処理装置１０をネットワーク２を介して操作可能な装置であり、例えば、パーソナルコンピュータ（ＰＣ）、スマートフォン等の各種機器が挙げられる。
【００２５】
端末装置３０は、ＣＰＵ２１と、ＲＯＭ２２と、ＲＯＭ２３を備えている。さらに、ウェブブラウザ２４と、通信インタフェース部２５と、操作パネル２６と、画面情報要求部２７と、動作状況判定部２８と、を備えている。これらは図示しないシステムバスにより接続されている。
【００２６】
ＣＰＵ２１は、ＲＯＭ２２及びＲＯＭ２３に記憶された情報に従って動作することにより、端末装置３０の全体を制御する。
【００２７】
ＲＯＭ２２は、ＣＰＵ２１の制御手順、処理手順等を示すプログラムを保持しており、ＲＯＭ２３は、端末装置３０の制御処理に必要な情報、作業領域等を保持している。
【００２８】
通信インタフェース部２５は、端末装置３０がネットワーク２を介して情報処理装置１０と通信を行うことができるように構成されている。
【００２９】
ウェブブラウザ２４は、ネットワーククライアントであり、ネットワーク２を介して、操作画面データ等の画面情報をダウンロードして操作パネル２６に表示可能である。このウェブブラウザは、汎用的なものを使用可能である。本実施形態では、操作パネル２６に画面情報を表示して、画面情報（操作画面データ）に基づくユーザ指示の内容をウェブサーバ１４に送信する機能を備えている。詳細は後述するがウェブブラウザ２４は、画面情報送信部１７から送信される複数の画面情報から、ユーザーエージェントに基づいて適切な画面情報を選択する。
【００３０】
通信インタフェース部２５は、ユーザが所定の指示の入力を行うことができ、また、各種情報を表示することができる。ユーザは、操作パネル２６を介して端末装置３０に対する指示・設定や情報処理装置１０に対する指示・設定を行う。すなわち、詳細は後述するが、操作パネル２６を操作することにより、ユーザは、情報処理装置１０の操作を指示・設定することができるように構成されている。
【００３１】
画面情報要求部２７は、情報処理装置１０の画面情報送信部１７に操作画面データの要求を行う。
【００３２】
操作パネル２６は、端末装置３０の表示装置であり、ユーザが所定の指示の入力操作を行うことができ、また、各種情報を表示することができる。ユーザは、操作パネル２６を介して情報処理装置１０に対する指示・設定を行う。なお、操作パネル２６の画面表示領域には、画面情報送信部１７から取得した画面情報を表示する。
【００３３】
上述したように、情報処理システム１は、ウェブサーバ１４を備える情報処理装置１０と、ウェブブラウザ２４を備える端末装置３０とを含むものであり、端末装置３０により情報処理装置１０を制御可能に構成されている。本実施形態では、情報処理システム１において、情報処理装置１０は、情報処理装置１０自身の操作により制御することが可能であり、また、端末装置３０からの操作により制御することも可能である。
【００３４】
まず、通信インタフェース部１５と通信インタフェース部２５とがネットワークを介して接続されることにより、ウェブサーバ１４とウェブラウザ２４が通信を行うことができるようになる。そして、端末装置３０の画面情報要求部２７から画面情報の要求があると、情報処理装置１０側の画面情報送信部１７が操作パネル１６と同様の指示が可能な表示内容をウェブサーバ１４を介してウェブブラウザ２４に送信する。その画面情報は、端末装置３０側の操作パネル２６に表示され、ユーザはその操作パネル２６を操作することによって、情報処理装置１０の遠隔操作が行うことができる。
【００３５】
情報処理装置１０は、印刷処理部１８、スキャン処理部１９、ファックス処理部２０を備えているが、これらの動作中はジョブ実行中のステータスがネットワーク２を介して端末装置３０に通知される。端末装置３０では、この通知を動作状況判定部２８で解析することによって、情報処理装置１０がジョブ実行中であることが分かるようになっている。
【００３６】
また、情報処理装置１０から端末装置３０へのステータスの通知と判定、画面情報の送信などは、例えば、端末装置３０で表示するウェブページに埋め込まれているＪａｖａＳｃｒｉｐｔを実行することで実現される。
【００３７】
次に、図２〜４を用いて、本実施形態に係る情報処理システム１の端末装置３０の種類に応じた表示制御方法について説明する。図２は、本実施形態に係るスマートフォン系端末用のユーザーインターフェース画面を示す図である。図３は、本実施形態に係るタブレット系端末用のユーザーインターフェース画面である。図４は、端末装置３０のＣＰＵ２１が実行する処理のフローチャートである。
【００３８】
図２に示すように、本実施形態に係るスマートフォン系端末用のユーザーインターフェース画面では、まず、トップメニュー画面３１を表示する。トップメニュー画面３１には、各種メニューと、ウェブマニュアルが表示される。各種メニューとして、例えば、ロケーション設定、プリンタ情報、ユーティリティ、ファームウェアのアップデートを表示する。ここで、ロケーション設定メニュー３２を押下すると、ロケーション設定の設定画面３３へと移行（遷移）する。また、ウェブマニュアルを押下すると、図示しないマニュアル画面へと移行（遷移）する。設定画面３３には、プリンター名及び設置場所と、ＯＫボタン３５と、戻るボタン３４が表示される。ＯＫボタン３５を押下と、表示されたプリンター名及び設置場所でロケーションが設定される。一方、戻るボタン３４を押下すると、全てのデータがリロードされて初期設定に戻ると共にトップメニュー３１に戻る。
【００３９】
このように、スマートフォン系の端末のように表示領域の小さい端末装置では、まずメニュー画面を表示して、そのメニューで選択された設定画面に遷移する。したがって、本実施形態では、スマートフォン端末では「戻る」ボタンでスマートフォン用のトップメニュー３１に戻ることによって、全てのデータの再ロードが行われるため画面の左上に「戻る」ボタン３４を配置する。
【００４０】
図３に示すように、タブレット系端末用のユーザーインターフェース画面では、タブレット用のトップメニュー画面４１と設定画面４３が同時に表示される。このとき、設定画面４３には、トップメニュー画面４１で選択された設定画面を表示する。トップメニュー画面４１には、各種メニューと、ウェブマニュアルが表示される。各種メニューとして、例えば、ロケーション設定、プリンタ情報、ユーティリティ、ファームウェアのアップデートを表示する。また、ウェブマニュアルを押下すると、図示しないマニュアル画面へと移行する。これらの点は図２と同様である。ここで、ロケーション設定メニュー４２を押下すると画面右側にロケーション設定画面４３を表示する。ロケーション設定画面４３には、プリンター名及び設置場所と、ＯＫボタン３５と、リロードボタン４４が表示される。ＯＫボタン３５を押下すると、表示されたプリンター名及び設置場所でロケーションが設定される。一方、リロードボタン４４を押下すると、リロードされてロケーション設定が初期設定に戻る。このように、タブレット系端末用のユーザーインターフェースでは、リロードボタン４４を押下することにより設定画面をリロードすることができ、トップメニュー４１に切り替えてリロードさせる必要がない。
【００４１】
図４を用いて、本実施形態の端末装置３０のＣＰＵ２１が実行する表示制御について説明する。ここでは、ロケーション設定を行う場合を例に挙げて説明する。
【００４２】
まず、情報処理システムを起動する（Ｓ１００）と、端末装置３０は、情報処理装置１０を操作する際にユーザーインターフェース画面の表示に必要な画面情報をウェブサーバ１４からロードする（Ｓ１０１）。ここでロードする画面情報としては、ＨＴＭＬ、ＣＳＳ、ＪａｖａＳｃｒｉｐｔ等の情報処理装置１０側の設定値を含むものが挙げられる。
【００４３】
次に、端末装置３０は、自身がスマートフォン系の端末か、タブレット系の端末かを判定する（Ｓ１０２）。本実施形態では、スマートフォン系の端末かタブレット系の端末のいずれかを判定するものとしたが、これに限定されず、例えば、ＰＣを含めた３種類のいずれかで判別してもよく、また、単に、スマートフォン系か否かのみを判定するようにしてもよい。本実施形態では、スマートフォン系の端末に属さないものをタブレット系の端末であると判定する。すなわち、スマートフォン系の端末か否かのみを判定する。本実施形態において、スマートフォン系の端末かタブレット系の端末か等の判定は、ユーザーエージェントと呼ばれる端末装置を識別する文字列の中に特定の文字列が含まれるか否かにより判定する。なお、ユーザーエージェントは、端末装置のウェブブラウザが備えるものである。ユーザーエージェントに、スマートフォン系であると特定する文字列、例えば、“ｍｏｂｉｌｅ”等の特定の文字列が含まれる場合はスマートフォン系の端末であると判定し、スマートフォン系であると特定する文字列が含まれていない場合はタブレット系の端末であると判定する。
【００４４】
Ｓ１０２で、スマートフォン系の端末であると判別された場合は、スマートフォン用の画面情報（本実施形態では、小画面用の画面情報）を選択して、スマートフォン用のトップメニュー３１を表示する（Ｓ１０３）。
【００４５】
そして、そのトップメニュー上でメニューが選択されたかを判定する（Ｓ１０５）。ここでは、ロケーション設定が選択されたか否かを判定する。
【００４６】
Ｓ１０５においてロケーション設定メニュー３２が選択された場合にはロケーション設定の設定画面３３に遷移し、ロケーション設定の設定画面を表示する（Ｓ１０７）。本実施形態では、スマートフォン端末用の画面情報では、ロケーション設定の設定画面において「戻る」ボタン３４を表示する。その後、Ｓ１０８へ進む。Ｓ１０５において他のメニューが選択された場合は他の設定メニューの処理に移行する（Ｓ１０６）。  Ｓ１０８において、ユーザによる操作パネル２６に表示されたロケーション設定の設定画面３３でプリンター名や設置場所などの設定値の変更指示を受け付け可能な状態とし、Ｓ１１０へ進む。このとき、設置値の変更指示を受けつけた場合は、設定画面３３に反映させる。
【００４７】
Ｓ１１０では、「戻る」ボタン３５が押下されたか否かを判定する。「戻る」ボタン３５が押下された場合は、Ｓ１０１へ戻り全てのデータをロードする。その後、Ｓ１０２を経てトップメニューへ戻る（Ｓ１０３）。一方、「戻る」ボタン３５が押されていない場合は、Ｓ１１２へ進む。
【００４８】
Ｓ１１２では、「ＯＫ」ボタン３５が押下されたか否かを判定する。Ｓ１１２で「ＯＫ」ボタン３５が押下されない場合は、Ｓ１１０へ戻る。Ｓ１１２で「ＯＫ」ボタン３５が押下された場合は、設定値を元に戻さず、設定値を反映させる処理を実行する（Ｓ１１４）。例えば、情報処理装置のロケーションを設定したり、印刷処理部１８に印刷させる等の各種の処理を実行させる。
【００４９】
Ｓ１０２で、タブレット系の端末であると判別された場合は、タブレット端末用の画面情報（本実施形態では、標準の画面情報）を選択して、タブレット端末用のトップメニュー４１を表示する（Ｓ１０４）。具体的には、図３に示すように、タブレット端末は表示領域が大きいため、メニュー画面と設定画面を同時に表示して、そのメニューで選択された設定画面をメニューの隣に表示する。このとき、タブレット用のトップメニュー４１を常時表示しているため、画面の右上に「リロード」ボタン４４を配置しておく。すなわち、トップメニューを再表示することによってデータの再ロードさせるのではなく、設定画面４３の「リロード」ボタン４４の押下により再ロードさせることができる。その後、Ｓ１０９へ進む。
【００５０】
Ｓ１０９では、ユーザによる操作パネル２６に表示されたロケーション設定の設定画面４３でプリンター名や設置場所などの設定値の変更指示を受け付け可能な状態とし、Ｓ１１１へ進む。このとき、設置値の変更指示を受けつけた場合は、設定画面４３に反映させる。
【００５１】
Ｓ１１１では、「リロード」ボタン４４が押下されたか否かを判定する。「リロード」ボタン４４が押下された場合は、Ｓ１１３へ進み、ロケーション設定のデータをロードして、Ｓ１０４へ戻る。すなわち、Ｓ１０４に戻って、ロケーション設定の設定画面４３の再表示が行われて設置値が初期化された状態で表示される。一方、「リロード」ボタン４４が押されていない場合は、Ｓ１１５へ進む。
【００５２】
Ｓ１１５では、「ＯＫ」ボタン３５が押下されたか否かを判定する。Ｓ１１５で「ＯＫ」ボタン３５が押下されない場合は、Ｓ１１１へ戻る。Ｓ１１５で「ＯＫ」ボタン３５が押下された場合は、設定値を元に戻さず、設定値を反映させる処理を実行する（Ｓ１１６）。例えば、情報処理装置のロケーションを設定したり、印刷処理部１８に印刷させる等の各種の処理を実行させる。
【００５３】
図示しないが、操作パネル２６の表示画面を閉じる等によりアプリケーションの終了指示等を受けつけた場合は、リモート処理を終了する。
【００５４】
本実施形態では、情報処理装置１０の操作を行う画面情報（ユーザーインターフェース画面）を端末装置３０のウェブブラウザ２４に表示し操作する情報処理システムにおいて、端末装置３０がスマートフォン系の端末かタブレット系の端末かに応じて、画面情報を変更（選択）する。本実施形態では、データを再取得するためのリロードボタンを表示するタブレット用の画面情報か、リロードボタンを表示しないスマートフォン用の画面情報のいずれかを選択し、操作パネル２６の表示領域に表示する。タブレット用の画面情報では、「リロード」ボタンを表示することにより、トップメニューの再表示によるデータの再ロードを行うことができない表示画面においても、「リロード」ボタンを押下することにより再ロードが可能となる。一方、スマートフォン系の端末では、リロードボタンの代わりに戻るボタンを押下することにより、データが再ロードされる。すなわち、スマートフォン用の画面情報では、「戻る」ボタンを表示し、戻るボタンの押下により、全てのデータを再ロードし、端末装置３０がスマートフォン端末か否かの判断を経て、トップメニューを表示する。これにより、スマートフォン系の端末とタブレット系の端末のように、表示領域のサイズの異なる端末装置において、同等な機能を提供しつつ、ユーザの操作性を向上させることができる。
【００５５】
（実施形態２）
本実施形態では、情報処理システム１の構成は実施形態１と同様であるので、重複する説明は省略する。
【００５６】
図５及び図６を用いて、本実施形態に係る表示制御方法について説明する。
図５は、本実施形態に係るスマートフォン系の端末用のユーザーインターフェース画面である。図５に示すように、本実施形態に係るスマートフォン系端末用のユーザーインターフェース画面では、まず、トップメニュー画面５１を表示する。トップメニュー画面５１には、各種メニューと、ウェブマニュアルが表示される。各種メニューとして、例えば、ロケーション設定、プリンタ情報、ユーティリティ、ファームウェアのアップデートを表示する。ここで、ロケーション設定メニューを押下した場合は、実施形態１と同様であるので説明を省略する。
【００５７】
ユーティリティのメニュー画面５３へと移行する。また、ウェブマニュアルを押下すると、図示しないマニュアル画面へと移行する。ユーティリティのメニュー画面５３には、ユーティリティメニューと、戻るボタン５４が表示される。ユーティリティメニューとしては、例えば、ノズルチェックパターン印刷、クリーニング、強力クリーニング、ヘッド位置調整、給紙ローラクリーニング、インクふき取りクリーニング、サイレント設定、省電力設定、特殊設定、言語設定が挙げられる。ここでは、特殊設定メニュー５５を選択した場合について説明する。特殊設定メニュー５５を選択すると、特殊設定の設定画面５７へ遷移する。特殊設定の設定画面には、各種特殊設定と、ＯＫボタンと、「戻る」ボタン５４と、「リロード」ボタン５６が表示される。ここで、各種特殊設定としては、例えば、ロケーション設定、プリンタ情報、ユーティリティ、インク乾燥待ち時間が挙げられる。ＯＫボタン３５を押下と、設定画面５７で指示された内容で特殊設定が設定される。「戻る」ボタン５４を押下すると、ユーティリティメニュー画面に戻り、「リロード」ボタン５６を押下すると、特殊設定に関する全てのデータがリロードされて初期設定に戻る。
【００５８】
このように、スマートフォン系の端末のように表示領域の小さい端末装置では、選択を繰り返すと階層が深くなる。本実施形態では、ユーザーインターフェース画面が所定の階層以上となった場合に、「リロード」ボタンを表示することで、「戻る」ボタンによりデータの再ロードを行うのではなく、リロードボタンによりリロードができるように構成する。本実施形態では、３階層目以上では、リロードボタンを表示するものとした。なお、ここでは、特殊設定を例に挙げて説明したが、これに限定されるものではなく、他を選択した場合も同様に、３階層目以上ではリロードボタンを表示する。
【００５９】
ここで、図６を用いて、端末装置３０の処理について説明する。図６は、端末装置３０のＣＰＵ２１が実行する処理のフローチャートである。
【００６０】
まず、情報処理システムを起動する（Ｓ２００）と、端末装置３０は、情報処理装置１０を操作する際にユーザーインターフェース画面の表示に必要な画面情報をウェブサーバ１４からロードする（Ｓ２０１）。ここでロードする画面情報としては、ＨＴＭＬ、ＣＳＳ、ＪａｖａＳｃｒｉｐｔ等の情報処理装置１０側の設定値が挙げられる。
【００６１】
次に、端末装置３０はスマートフォン系の端末かタブレット系の端末かを判定する（Ｓ２０２）。本実施形態では、スマートフォン系の端末かタブレット系の端末のいずれかを判定するものとしたが、これに限定されず、例えば、ＰＣを含めた３種類のいずれかで判別してもよい。ここで、スマートフォン系の端末かタブレット系の端末か等の判定は、ユーザーエージェントと呼ばれる端末装置を識別する文字列の中に特定の文字列が含まれるか否かにより判定する。
【００６２】
Ｓ２０２で、スマートフォン系の端末であると判別された場合は、スマートフォン用のトップメニュー３１を表示する（Ｓ２０３）。そして、そのトップメニュー上でメニューが選択されたかを判定する（Ｓ２０５）。本実施形態では、ロケーション設定が選択されたか否かを判定する。
【００６３】
Ｓ２０２で、タブレット系の端末であると判定された場合は、タブレット端末用の処理へ移行する（Ｓ２１７）。タブレット系の端末用の処理は、実施形態１のＳ１０４，Ｓ１０９，Ｓ１１１，Ｓ１１３，Ｓ１１５，Ｓ１１６と同様であるので説明を省略する。
【００６４】
Ｓ２０５では、スマートフォン用のトップメニュー画面５１上でメニューが選択されたか判定する。メニューが選択された場合は、１階層下の画面に遷移し（Ｓ２０４）、３階層目以上であるか否かを判定する（Ｓ２０６）。３階層目以上であれば、リロードを表示して（Ｓ２０７）、Ｓ２０９へ進む。３階層目未満であれば、リロードを表示せずに（Ｓ２０８）、Ｓ２０９へ進む。トップメニュー画面５１においてユーティリティメニュー５２が選択された場合は、リロードを表示せずにユーティリティメニュー画面５３に遷移する。
【００６５】
Ｓ２０９では、表示画面においてメニューが選択されたか判定する（Ｓ２０９）。メニューが選択された場合は１階層下の画面に遷移し（Ｓ２０４）、Ｓ２０６へ進む。メニューが選択されない場合はＳ２１０へ進む。
【００６６】
Ｓ２１０では、リロードボタンが選択されたか否かを判定する。「リロード」ボタンが選択された場合は、現在表示している画面の全てのデータがリロードされて初期設定に戻り（Ｓ２１１）、Ｓ２０９へ戻る。リロードボタンが選択されない場合は、Ｓ２１２へ進む。
【００６７】
Ｓ２１２では、戻るボタンが選択されたか否かを判定する。戻るボタンが選択された場合は、Ｓ２１３へ進み、戻るボタンが選択されない場合は、Ｓ２１４へ進む。
【００６８】
Ｓ２１３では、現在が２階層目であるか否かを判定する。２階層目である場合は、Ｓ２０１へ戻り、全てのデータをロードする。２階層目ではない場合は、１階層下の画面に遷移し（Ｓ２１６）、Ｓ２０６へ戻る。
【００６９】
Ｓ２１４では、「ＯＫ」ボタンが押下されたか否かを判定する。「ＯＫ」ボタンが押下されない場合は、Ｓ２０９へ戻る。「ＯＫ」ボタンが押下された場合は、設定値を元に戻さず、設定値を反映させる処理を実行する（Ｓ２１５）。
【００７０】
なお、図示しないが、操作パネル２６の表示画面を閉じる等によりアプリケーションの終了指示等を受けつけた場合は、リモート処理を終了する。
【００７１】
本実施形態では、スマートフォン端末用のインタフェース画面において、３階層目以上となった場合に、リロードボタンを表示するものとした。すなわち、端末装置３０がスマートフォン系の端末であっても画面遷移が所定階層以上に深くなったらリロードボタンを表示するものとした。これにより、１アクションで設定値を初期化することができ、スマートフォン系の端末装置におけるユーザの操作性を向上させることができる。
【００７２】
（他の実施形態）
以上、本発明の各実施形態を説明したが、本発明の基本的構成は上述したものに限定されるものではない。例えば、実施形態２では、所定階層を３階層と規定し、３階層目以上に深くなった場合に、「リロード」ボタンを表示するものとしたが、これに限定されるものではない。例えば、リロードボタンを表示する階層は、適宜設定することができ、ユーザの負荷等を考慮して適切な階層において表示するようにしてもよい。また、所定の階層以上はすべて表示するのではなく、リロードが必要な設定画面のみに表示するようにしてもよい。
【００７３】
なお、上述した実施形態では、端末装置３０の種類に応じた複数の画面情報を端末装置３０に送信し、端末装置３０側において表示する画面情報を選択するようにしたが、これに限定されるものではない。例えば、情報処理装置１０側が端末装置３０のウェブブラウザを確認して、複数の画面情報から端末装置３０に対応する画面情報を選択して、端末装置３０に送信するようにしてもよい。
【００７４】
上述した実施形態では、情報処理装置１０及び端末装置３０がネットワークを介して接続する情報処理システムを例に挙げて本発明について説明したが、これに限定されるものではない。例えば、情報処理装置と端末装置がローカルインターフェース経由で接続するものであってもよく、近距離無線通信により接続するものであってもよい。
【００７５】
上述した実施形態は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（ＣＰＵやＭＰＵ等）がプログラムを読み出して実行する処理である。また、プログラムは、１つのコンピュータで実行させても、複数のコンピュータを連動させて実行させるようにしてもよい。また、上記した処理の全てをソフトウェアで実現する必要はなく、処理の一部または全部をＡＳＩＣ等のハードウェアで実現するようにしてもよい。また、ＣＰＵも１つのＣＰＵで全ての処理を行うものに限らず、複数のＣＰＵが適宜連携をしながら処理を行うものとしてもよい。
【符号の説明】
【００７６】
１  情報処理システム
２  ネットワーク
１０  情報処理装置
１１，２１  ＣＰＵ
１２，２２  ＲＯＭ
１３，２３  ＲＡＭ
１４  ウェブサーバ
１５，２５  通信インタフェース部
１６，２６  操作パネル
１７  画面情報送信部
１８  印刷処理部
１９  読取処理部
２０  ファックス処理部
２４  ウェブブラウザ
２７  画面情報要求部
２８  動作状況判定部
３１，５１  スマートフォン用のトップメニュー
３２，４２  ロケーション設定メニュー
３３，４３  ロケーション設定の設定画面
３４，５４  「戻る」ボタン
３５，４５  「ＯＫ」ボタン
４１  タブレット用のトップメニュー
４４，５６  「リロード」ボタン
５２  ユーティリティメニュー
５３  ユーティリティメニュー画面
５５  特殊設定メニュー
５７  特殊設定の設定画面
【図１】
2018092634.tif 000003
【図２】
2018092634.tif 000004
【図３】
2018092634.tif 000005
【図４】
2018092634.tif 000006
【図５】
2018092634.tif 000007
【図６】
2018092634.tif 000008